(57)【要約】【課題】センターキャップの外径がボビン径に左右されない構造にするとともに、高入力に対する耐性に優れ、かつ、ボイスコイルの駆動力を振動板およびセンターキャップに効率的に伝達でき、高音域の周波数特性が改善可能なスピーカを提供する。【解決手段】振動板１０は、コーン部１３と、ボビン６の長手方向に延びたネック部１４およびボビン６の中心方向に延びた延出部１５からなるＬ字状の屈曲部１６とを有する。センターキャップ１１はドーム部とドーム部の終端部から外側に屈曲した折り曲げ部１７とを有し、折り曲げ部１７は振動板１０の延出部１５の前面に当接され、接着剤１８によって接合されている。これにより、ボビン６の外径よりも径の小さい外縁部を有するセンターキャップ１１を振動板１０に接合できる。【選択図】図１
2009200828.tif 000002
【特許請求の範囲】
【請求項１】
マグネットと、前記マグネットの前面に接合されるプレートと、前記マグネットの底面に接合されるヨークと、を含む磁気回路と、
前記磁気回路の少なくとも一部を取り囲むように配置されるボビンと、
前記ボビンに巻回され、前記磁気回路の磁気ギャップ中に配置されて前後に振動可能とされるボイスコイルと、
前記磁気回路に接合されるフレームと、
後方内側に前記ボビンの前端部が接合され、外周縁部がエッジを介して前記フレームに支持される振動板と、
を備えるスピーカにおいて、
前記ボビンの前方側に配置され、前記ボビンの外径と同じかそれよりも小さい径を有するセンターキャップを備え、
前記振動板は、少なくともその一部が前記ボビンの外径よりも内側に設けられ、前記ボビンの外径よりも内側にて前記センターキャップの外縁部に接合される屈曲部を有することを特徴とするスピーカ。
【請求項２】
前記振動板には、前記屈曲部より内側に開口部が形成されることを特徴とする請求項１に記載のスピーカ。
【請求項３】
前記開口部を塞ぐように前記屈曲部に密着配置される吸音材をさらに備えることを特徴とする請求項２に記載のスピーカ。
【請求項４】
前端部が前記振動板に接合され、後端部が前記ボビンに接合されるカプラをさらに備えることを特徴とする請求項１乃至３に記載のスピーカ。
【請求項５】
前記屈曲部は、その断面形状が直線状またはＬ字状またはＶ字状またはコ字状またはそれらを組合せた形状であることを特徴とする請求項１乃至４に記載のスピーカ。
【請求項６】
前記ボビンの前端部は、前記屈曲部より外側に接合されることを特徴とする請求項１乃至５に記載のスピーカ。
【請求項７】
前記ボビンの前端部は、前記屈曲部の一部に形成された凹部に挿入されて固定されることを特徴とする請求項１乃至５に記載のスピーカ。
【請求項８】
前記ボビンの前端部は、前記屈曲部の後面に接合されることを特徴とする請求項１乃至５に記載のスピーカ。
【請求項９】
前記センターキャップは、その外縁部に設けられ、前記振動板と接合される折り曲げ部を有することを特徴とする請求項１乃至８に記載のスピーカ。
【請求項１０】
前記屈曲部は、前記ボビンの長手方向に延びるネック部と、前記ボビンの中心方向に延びる延出部とを有することを特徴とする請求項１乃至９に記載のスピーカ。
【請求項１１】
前記ボビンは前記ネック部に接合され、
前記センターキャップの外縁部は前記延出部に接合されることを特徴とする請求項１０に記載のスピーカ。
【請求項１２】
前記屈曲部は、前記ボビンの中心方向に延びる延出部を有し、
前記センターキャップの外縁部は前記延出部の前面側に接合され、前記ボビンは前記延出部の後面側に接合されることを特徴とする請求項１乃至９に記載のスピーカ。
【発明の詳細な説明】
【技術分野】
【０００１】
本発明は、各種音響機器や情報通信機器などに使用されるスピーカに関する。
【背景技術】
【０００２】
スピーカは、家庭用あるいは車載用のオーディオ機器だけでなく、パーソナルコンピュータや携帯電話、ゲーム機器、薄型テレビジョンなどの種々の電子機器に幅広く利用されており、信頼性を維持しながら、より小型あるいはより薄型で音質の優れたスピーカが求められている。
【０００３】
図１７は従来の一般的なスピーカ１００を示しており、（Ａ）はスピーカ１００の側断面図、（Ｂ）は同要部である振動板とセンターキャップとボビンの接合部分のＡ部拡大図である。
【０００４】
スピーカ１００は、図１７（Ａ）に示すように、マグネット１０２をポールピース１０３およびポットヨーク１０４により挟み込んで内磁型の磁気回路１０５を構成している。この磁気回路１０５の一部を取り囲むようにボビン１０６が配置され、ボビン１０６に巻回されたボイスコイル１０７が、磁気回路１０５の磁気ギャップ中に配置されている。磁気回路１０５のポットヨーク１０４の外周部にはフレーム１０８の内周部が接合されている。フレーム１０８の外周縁部にはエッジ１０９を介して振動板１１０の外周部が接合されており、振動板１１０とボビン１０６の前方側にはセンターキャップ１１１が配置されている。そして、この振動板１１０にボビン１０６が接合され、ボビン１０６はダンパー１１２によって中心に保持されている。図１７（Ｂ）に示すように、振動板１１０の内周端部がボビン１０６に接合され、センターキャップ１１１はボビン１０６の開口部を覆って、その外周端部が振動板１１０の前面部に接合されている。
【０００５】
以上のように構成したスピーカ１００においては、センターキャップ１１１の外縁部がボビン１０６の外径よりも大きくなければならないため、ボビン１０６の外径が大きいほど、センターキャップ１１１の外縁部が大きくなるとともに質量が増大し、高域限界周波数が低くなり、高音域の出力音圧が低下するという問題があった。また、高音域の周波数特性を改善するために、センターキャップ１１１の外縁部および振動板１１０の内径寸法を小さくすると、それに応じてボビン１０６の外径も小さくなり、これに伴って、ボイスコイル１０７の外径が小さくなる。同一インピーダンスで同一巻幅のボイスコイルで比較した場合、ボイスコイル１０７の外径が小さいと同一入力であってもボイスコイルワイヤの線径が細くなるので、ボイスコイルワイヤの単位長さ当たりに発生する熱量が大きくなり、ボイスコイルワイヤやボビン１０６が熱破壊する可能性が高まり、高入力に耐えることができないという問題があった。
【０００６】
また、スピーカ１００とは異なるセンターキャップ構造のスピーカが知られている。図１８はこのスピーカ２００を示しており、（Ａ）はスピーカ２００の側断面図、（Ｂ）は同要部である振動板とセンターキャップとボビンの接合部分のB部拡大図である。
【０００７】
スピーカ２００は、図１８に示すように、振動板２１０とセンターキャップ２１１とが一体構造となっており、その接合部の近傍にボビン２０６が接合している。それ以外はスピーカ１００と同様な構造となっている。
【０００８】
以上のように構成したスピーカ２００においては、スピーカ１００と異なり、センターキャップ２１１の外形をボビン２０６の内径よりも小さくすることが可能であるが、図１８（Ｂ）に示すように、振動板２１０とセンターキャップ２１１との連なり部分でR形状の折り返し部が存在するため、この折り返し部に所定の大きさのコンプライアンスが生じ、ボイスコイルの駆動力を振動板に十分に伝えることができないという問題がある。
【０００９】
また、センターキャップ、振動板およびボビンの接合構造を工夫することにより、中高音域の音質改善を図ったスピーカが提案されている（例えば、特許文献１参照）。
【００１０】
図１９は特許文献１によるスピーカ３００を示しており、（Ａ）はスピーカ３００の側断面図、（Ｂ）は同要部である振動板とセンターキャップとボビンの接合部分のＣ部拡大図である。
【００１１】
図１９（Ｂ）に示すように、スピーカ３００においては、ボビン３０６の上端を覆うように接着剤３１０により、振動板３０８とボビン３０６とセンターキャップ３０９の円筒下端部３０９ａを接着結合し、センターキャップ３０９の円筒下端部３０９ａは外方に角度をもって曲げられており、その先端は振動板３０８に当接されて、接着剤３１０により振動板３０８とセンターキャップ３０９とボビン３０６は結合固着されている。センターキャップ３０９と振動板３０８とは、接着剤３１０を介在した結合でないため振動板３０８とセンターキャップ３０９間の位相のズレが抑制され、高域限界周波数領域におけるピークディップの発生や中高音域の音質劣化を抑制できる、と特許文献１には記載されている。
【特許文献１】特開２００５−２６９０６４号公報
【発明の開示】
【発明が解決しようとする課題】
【００１２】
しかしながら、特許文献１は、以下の様な問題点を有する。
【００１３】
すなわち、特許文献１によるスピーカ３００では、先述のスピーカ１００と同様に、センターキャップ３０９の外縁部がボビン３０６の外径よりも大きくなければならないため、ボイスコイル３０６の径が大きいほど、センターキャップ３０９の外縁部が大きくなるとともに質量が増大するため、高域限界周波数が低くなり、高音域の出力音圧が低下するという問題がある。また、スピーカ３００では、スピーカ１００と同様な理由で、高音域の周波数特性を改善しようとすると、高入力に耐えることができないというおそれもある。
【００１４】
本発明は、このような問題点に鑑みてなされたものであり、その目的は、センターキャップの外縁部がボビン径に左右されない構造にするとともに、高入力に対する耐性に優れ、かつ、ボイスコイルの駆動力を振動板およびセンターキャップに効率的に伝達でき、高音域の周波数特性が改善可能なスピーカを提供することにある。
【課題を解決するための手段】
【００１５】
本発明の一態様によれば、マグネットと、前記マグネットの前面に接合されるプレートと、前記マグネットの底面に接合されるヨークと、を含む磁気回路と、前記磁気回路の少なくとも一部を取り囲むように配置されるボビンと、前記ボビンに巻回され、前記磁気回路の磁気ギャップ中に配置されて前後に振動可能とされるボイスコイルと、前記磁気回路に接合されるフレームと、後方内側に前記ボビンの前端部が接合され、外周縁部がエッジを介して前記フレームに支持される振動板と、を備えるスピーカにおいて、前記ボビンの前方側に配置され、前記ボビンの外径と同じかそれよりも小さい径を有するセンターキャップを備え、前記振動板は、少なくともその一部が前記ボビンの外径よりも内側に設けられ、前記ボビンの外径よりも内側にて前記センターキャップの外縁部に接合される屈曲部を有することを特徴とするスピーカが提供される。
【発明の効果】
【００１６】
本発明によれば、センターキャップの外径がボビン径に左右されない構造にするとともに、高入力に対する耐性に優れ、かつ、ボイスコイルの駆動力を振動板およびセンターキャップに効率的に伝達でき、高音域の周波数特性が改善可能なスピーカを提供することができる。
【発明を実施するための最良の形態】
【００１７】
以下、図面を参照しながら、本発明の実施形態を説明する。
【００１８】
（第１の実施形態）
図１は本発明の第１の実施形態によるスピーカ１を示しており、（Ａ）はスピーカ１の側断面図、（Ｂ）は同要部である振動板とセンターキャップとボビンの接合部分のD部拡大図である。
【００１９】
図１のスピーカ１は、円筒状のマグネット２と、マグネット２の前面に接合される円板状のプレート（ポールピース）３と、マグネット２の底面に接合されるポット型のヨーク（ポットヨーク）４と、を有する内磁型の磁気回路５と、磁気回路５の少なくとも一部を取り囲むように配置されるボビン６と、ボビン６に巻回され、磁気回路５の磁気ギャップ中に配置されて前後に振動可能とされるボイスコイル７と、磁気回路５のヨーク４の外周部に接合されたフレーム８と、外周縁部がエッジ９を介してフレーム８に支持され、内周側にボビン６が接合されるコーン型の振動板１０と、振動板１０とボビン６の前方側に配置されるドーム型のセンターキャップ１１と、内周部がボビン６に接合され、外周部がフレーム８の前面部に支持されるダンパー１２と、を備えている。
【００２０】
ここで、図１（Ｂ）をもとに、本実施形態における特徴部分である、振動板１０とボビン６とセンターキャップ１１との接合状態について説明する。
【００２１】
振動板１０は、コーン部１３と、ボビン６の長手方向に延びたネック部１４およびボビン６の中心方向に延びた延出部１５からなるＬ字状の屈曲部１６とを有する。ボビン６の前端内周部は振動板１０のネック部１４の外周部を囲むように配置されて、接着剤１８によって接合されており、センターキャップ１１はドーム部とドーム部の終端部から外側に屈曲した折り曲げ部１７とを有し、折り曲げ部１７は振動板１０の延出部１５の前面に当接され、接着剤１８によって接合されている。このように、スピーカ１においては、ボビン６の外径よりも径の小さい外縁部を有するセンターキャップ１１を振動板１０に接合できるようになっている。
【００２２】
尚、延出部１５の中央部には、空気抜き用の円形状の開口部が設けられている。
【００２３】
次に、スピーカの周波数特性について説明する。図２は本実施形態によるスピーカ１と従来のスピーカ１００の出力音圧−周波数特性の測定結果を比較して示した図であり、実線部Ｅがスピーカ１、点線部Fが従来のスピーカ１００の周波数特性である。図２に示すように、本実施形態によるスピーカ１は、従来のスピーカ１００と比べて、高域限界周波数が大幅に改善されていることがわかる。これは、ボビン６および振動板１０のネック部１４の内径よりも径の小さい外縁部を有するセンターキャップ１１が使用できるようにしたため、センターキャップ１１の質量を軽くすることができたことと、センターキャップ１１のサイズを小さくしてもボイスコイルワイヤの線径を細くする必要がなくなって高入力耐性が向上することと、センターキャップ１１を振動板１０の延出部１５に接合できる構造にしたため、音の伝達効率が向上したことによるものである。
【００２４】
以上のように、第１の実施形態によるスピーカ１は、ボビン６および振動板１０のネック部１４の内径よりも径の小さい外縁部を有するセンターキャップ１１が使用でき、センターキャップ１１を振動板１０の延出部１５に直接接合するようにしたことにより、高音域の周波数特性が改善され、高域限界周波数の高いスピーカが提供できる。
【００２５】
また、スピーカ１は、高音域の周波数特性を改善するために、スピーカ１００のようにボイスコイル径を小さくする必要がないため、高入力に耐えることができる。
【００２６】
また、振動板１０のネック部１４からボビン６の中心側に延びる延出部１５を設けたことによりネック部１４の強度が向上するとともに、ネック部１４近傍の延出部１５にセンターキャップ１１を接着剤１８で固定したことにより、ネック部１４のコンプライアンスを従来構造よりも小さくすることができるため、高音域の周波数特性の改善を助長されるという効果がある。
【００２７】
尚、本実施形態では、センターキャップ１１はドーム部とドーム部の終端部から外側に屈曲した折り曲げ部１７とを有するが、センターキャップの折り曲げ部の形状はこの態様に限定されるものではなく、本発明の趣旨を逸脱しない範囲で種々の変更が可能である。例えば、図３に示すように、ドーム部とドーム部の終端部から内側に屈曲した折り曲げ部１７ａとを有するセンターキャップ１１ａ、または図４に示すように、ドーム部とドーム部の終端部からネック部１４に沿って屈曲した折り曲げ部１７ｂとを有するセンターキャップ１１ｂ、または図５に示すように、折り曲げ部がなく、ドーム部の終端部がネック部１４と延出部１５との境界部分に当接しているセンターキャップ１１ｃなどが適用可能である。
【００２８】
また、振動板１０の屈曲部の形状も本実施形態に限定されるものではなく、例えば、図６に示す振動板１０ａのように、ネック部１４とＬ字状の延出部１５ａとでコ字状に構成される屈曲部１６ａ、または図７に示す振動板１０ｂのように、中心方向に傾斜したネック部１４ａとネック部１４ａとでＶ字形状を形成する延出部１５ｂとを有する屈曲部１６ｂ、または図８に示す振動板１０ｃのように、ネック部１４と略方形波形状の延出部１５ｃ（点線で囲まれた部分）とを有する屈曲部１６ｃなど、さまざまな形状が適用可能である。これらの種々の形状を組合わせて屈曲部を形成してもよい。
【００２９】
さらに、ボビン６の接合箇所は、ネック部１４の外周部に限定されるものではなく、例えば、図８に示すように、延出部１５ｃのくぼみ部分（凹部）に接合されるなど、センターキャップの外端部がボビンの外径以下であれば、種々の形状が適用可能である。
【００３０】
また、本実施形態では、延出部１５の中央部における開口部の形状を円形状としたが、これに限定されるものではなく、種々の形状が適用可能である。
【００３１】
（第２の実施形態）
第２の実施形態は、第１の実施形態とは振動板の屈曲部より内側の形状が異なるものである。
【００３２】
図９は本発明の第２の実施形態によるスピーカ１ａの断面図である。図９では、図１（Ａ）と共通する構成部分には同一符号を付しており、以下では相違点を中心に説明する。
【００３３】
図９に示すように、スピーカ１ａの振動板１０ｄは、スピーカ１と同様に、ネック部１４と延出部１５ｄとを有する屈曲部１６を備えているが、延出部１５ｄの中央部に空気抜き用の開口部が形成されていない。上記以外の構成は、第１の実施形態によるスピーカ１と同様である。
【００３４】
本実施形態によるスピーカ１ａは、第１の実施形態によるスピーカ１と同様に、ボビン６および振動板１０ｄのネック部１４の内径よりも径の小さい外縁部を有するセンターキャップ１１が使用でき、センターキャップ１１を振動板１０ｄの延出部１５ｄに直接接合するようにしたことにより、高音域の周波数特性と高入力耐性が改善され、高域限界周波数の高いスピーカを提供できる。
【００３５】
さらに、スピーカ１ａは、振動板１０ｄの中央部に開口部が形成されていないので、スピーカ１と比べて、振動板１０ｄの径方向の強度が高くなり、ボビン６の前端部と振動板１０ｄのネック部１４とセンターキャップ１１との接合部が補強され、高音域の周波数特性が改善されるとともに、センターキャップ１１がスピーカ内部の空間部の背圧の影響を受けなくなり、センターキャップ１１を剛性の低い材質にすることが可能となり、音質および周波数特性の調整範囲を広げることができる。
【００３６】
（第３の実施形態）
第３の実施形態は、第１の実施形態とは振動板の中央部の構成が異なるものである。
【００３７】
図１０は本発明の第３の実施形態によるスピーカ１ｂの断面図である。図１０では、図１（Ａ）と共通する構成部分には同一符号を付しており、以下では相違点を中心に説明する。
【００３８】
図１０に示すように、スピーカ１ｂの振動板１０は、スピーカ１と同様に、ネック部１４と延出部１５とを有する屈曲部１６を備え、延出部１５の中央部に空気抜き用の円形状の開口部を設けている。スピーカ１ｂは、スピーカ１とは異なり、延出部１５の前面側に円盤形状の吸音材１９が配置されており、この吸音材１９によって開口部が塞がれている。吸音材１９の外周部は延出部１５の前面部に当接し、固定されている。尚、吸音材１９は、グラスウールやフェルトなど、吸音特性が良く、軽い材料であれば良い。上記以外の構成は、第１の実施形態によるスピーカ１と同様である。
【００３９】
本実施形態によるスピーカ１ｂは、第１の実施形態によるスピーカ１と同様に、ボビン６および振動板１０のネック部１４の内径よりも径の小さい外縁部を有するセンターキャップ１１が使用できるようにし、センターキャップ１１を振動板１０の延出部１５に直接接合するようにしたことにより、高音域の周波数特性と高入力耐性が改善され、高域限界周波数の高いスピーカを提供できる。
【００４０】
また、スピーカ１ｂは、延出部１５の中央部に設けた空気抜き用の開口部を塞ぐように吸音材１９を配置しているため、スピーカ１ａと同様に、センターキャップ１１がスピーカ内部の空間部の背圧の影響を受けなくなるとともに、吸音効果により音質に変化を持たせることができるとともに、スピーカ１ａに比べて、振動部の質量を軽くすることができる。
【００４１】
尚、本実施形態において、吸音材１９は円盤形状としたが、吸音材は開口部を塞ぐ形状であれば、特にそれ以外の形状の制限はなく、開口部の形状に合わせて、角柱形状や半球形状など、適宜、設計可能である。
【００４２】
また、本実施形態では、吸音材１９を延出部１５の前面側に配置しているが、開口部を塞ぐ配置であればこれに限定されるものではなく、例えば、吸音材を延出部の後面側に接着等で接合した配置、吸音材を開口部に嵌め込んだ配置などが適用可能である。
【００４３】
（第４の実施形態）
第４の実施形態は、ボイスコイルと振動板の接合構造が第１の実施形態とは異なるものである。
【００４４】
図１１は本発明の第４の実施形態によるスピーカ１ｃを示しており、（Ａ）はスピーカ１ｃの側断面図、（Ｂ）は同要部である振動板とセンターキャップとボビンの接合部分のD部拡大図、（Ｃ）は補強用部材であるカプラの半断面図である。図１１では、図１と共通する構成部分には同一符号を付しており、以下では相違点を中心に説明する。
【００４５】
図１１（Ｂ）に示すように、振動板１０とボビン６とセンターキャップ１１の構成は、第１の実施形態によるスピーカ１と同様な構造であり、ボビン６および振動板１０のネック部１４の内径よりも径の小さい外縁部を有するセンターキャップ１１が使用でき、センターキャップ１１を振動板１０の延出部１５に接合するようにしたことにより、高音域の周波数特性と高入力耐性が改善され、高域限界周波数の高いスピーカを提供できる。
【００４６】
本実施形態によるスピーカ１ｃの特徴は、振動板１０とボビン６を連結するカプラ２０を備えているところにある。図１１（ｃ）に示すように、カプラ２０は振動板のコーン部１３に当接する前端部２１ａとボビン６に当接する後端部２１ｂを備えており、コーン部１３と前端部２１ａ、ボビン６と後端部２１ｂとがそれぞれ接着剤１８ａによって接合されている。カプラ２０を介して振動板１０とボビン６とが構造的に強固に接合されているため、振動板１０およびボビン６に激しい振動が加えられても振動板１０とボビン６とが容易に剥離することがなく、また、質量は増すが振動板１０とボビン６との接合部付近の強度が補強されることで、高音域の周波数特性がさらに改善され、より高域限界周波数の高いスピーカを提供できる。
【００４７】
尚、カプラ２０を用いることで、振動板とボビンのみの接合では本実施形態よりも強度が弱い構造であっても、実用的なスピーカを構成できる。例えば、図１２に示すように、振動板１０のネック部１４の後方端部にボビン６の前端部が当接する構造、または図１３あるいは図１４に示すように、ネック部の無い振動板１０ｅの屈曲部１６ｄ（屈曲部＝延出部となる）の後面部にボビン６の前端部が当接する構造、または図１５に示すように、振動板１０ｅのコーン部１３の後面部にボビン６の前端部が当接する構造、または図１６に示すように、振動板１０ｅの屈曲部１６ｄの後面部にボビン６の前端に有する折り曲げ部が当接する構造などが適用可能となる。いずれの場合であっても、センターキャップ１１の外縁部はボビン６あるいは６ａの外径以下になっている。
【００４８】
（その他の実施形態）
以上、本発明の代表的な実施形態について説明したが、本発明は上記の実施形態の構造のみに限定されるものではなく、本発明の趣旨を逸脱しない範囲で種々の変更が可能である。
【００４９】
例えば、上述した各実施形態では、センターキャップはドーム型であったが、形状に制限はなく、角型であってもよい。また、振動板もコーン型に限定されるものではなく、ドーム型であってもフラット形状であってもよい。
【００５０】
また、上述の各実施形態では、すべて、内磁型のスピーカであったが、外磁型のスピーカにも適用可能である。
【図面の簡単な説明】
【００５１】
【図１】本発明の第１の実施形態によるスピーカ１を示し、（Ａ）はスピーカ１の側断面図、（Ｂ）は同要部である振動板１０とセンターキャップ１１とボビン６の接合部分のD部拡大図。
【図２】本実施形態によるスピーカ１と従来のスピーカ１００の出力音圧−周波数特性の測定結果を比較して示した図。
【図３】ドーム部とドーム部の終端部から内側に屈曲した折り曲げ部１７ａとを有するセンターキャップ１１ａを示す図。
【図４】ドーム部とドーム部の終端部からネック部１４に沿って屈曲した折り曲げ部１７ｂとを有するセンターキャップ１１ｂを示す図。
【図５】折り曲げ部がなく、ドーム部の終端部がネック部１４と延出部１５との境界部分に当接しているセンターキャップ１１ｃを示す図。
【図６】ネック部１４とＬ字状の延出部１５ａとでコ字状に構成される屈曲部１６ａを示す図。
【図７】中心方向に傾斜したネック部１４ａとネック部１４ａとでＶ字形状を形成する延出部１５ｂとを有する屈曲部１６ｂを示す図。
【図８】ネック部１４と略方形波形状の延出部１５ｃとを有する屈曲部１６ｃを示す図。
【図９】本発明の第２の実施形態によるスピーカ１ａの断面図。
【図１０】本発明の第３の実施形態によるスピーカ１ｂの断面図。
【図１１】本発明の第４の実施形態によるスピーカ１ｃを示しており、（Ａ）はスピーカ１ｃの側断面図、（Ｂ）は同要部である振動板１０とセンターキャップ１１とボビン６の接合部分のD部拡大図、（Ｃ）は補強用部材であるカプラ２０の半断面図。
【図１２】振動板１０のネック部１４の後方端部にボビン６の前端部が当接する構造を示す図。
【図１３】ネック部の無い振動板１０ｅの屈曲部１６ｄの後面部にボビン６の前端部が当接する構造を示す図。
【図１４】図１３の変形例を示す図。
【図１５】振動板１０ｅのコーン部１３の後面部にボビン６の前端部が当接する構造を示す図。
【図１６】振動板１０ｅの屈曲部１６ｄの後面部にボビン６の前端に有する折り曲げ部が当接する構造を示す図。
【図１７】従来の一般的なスピーカ１００を示しており、（Ａ）はスピーカ１００の側断面図、（Ｂ）は同要部である振動板１１０とセンターキャップ１１１とボビン１０６の接合部分のＡ部拡大図。
【図１８】スピーカ１００とは異なるセンターキャップ構造のスピーカ２００を示し、（Ａ）はスピーカ２００の側断面図、（Ｂ）は同要部である振動板２１０とセンターキャップ２１１とボビン２０６の接合部分のB部拡大図。
【図１９】特許文献１によるスピーカ３００を示しており、（Ａ）はスピーカ３００の側断面図、（Ｂ）は同要部である振動板３０８とセンターキャップ３０９とボビン３０６の接合部分のＣ部拡大図。
【符号の説明】
【００５２】
１、１ａ、１ｂ、１ｃ  スピーカ
２  マグネット
３  プレート（ポールピース）
４  ヨーク（ポットヨーク）
５  磁気回路
６  ボビン
７  ボイスコイル
８  フレーム
９  エッジ
１０、１０ａ、１０ｂ、１０ｃ、１０ｄ、１０ｅ  振動板
１１、１１ａ、１１ｂ、１１ｃ  センターキャップ
１２  ダンパー
１３  コーン部
１４、１４ａ  ネック部
１５、１５ａ、１５ｂ、１５ｃ、１５ｄ  延出部
１６、１６ａ、１６ｂ、１６ｃ、１６ｄ  屈曲部
１７  折り曲げ部
１８、１８ａ  接着剤
１９  吸音材
２０  カプラ
２１ａ  前端部
２１ｂ  後端部
【図１】
2009200828.tif 000003
【図２】
2009200828.tif 000004
【図３】
2009200828.tif 000005
【図４】
2009200828.tif 000006
【図５】
2009200828.tif 000007
【図６】
2009200828.tif 000008
【図７】
2009200828.tif 000009
【図８】
2009200828.tif 000010
【図９】
2009200828.tif 000011
【図１０】
2009200828.tif 000012
【図１１】
2009200828.tif 000013
【図１２】
2009200828.tif 000014
【図１３】
2009200828.tif 000015
【図１４】
2009200828.tif 000016
【図１５】
2009200828.tif 000017
【図１６】
2009200828.tif 000018
【図１７】
2009200828.tif 000019
【図１８】
2009200828.tif 000020
【図１９】
2009200828.tif 000021